(57)【特許請求の範囲】
【請求項１】
暗渠や開渠など内側に空洞部をもつ同一断面形状の長尺なコンクリート構造物をその長手方向に沿って連続成形するのに用いる成形型であって、上部に生コンクリートを取り込むための受口を有する受枠部と、この受枠部の後方に連続して延びる所定の断面形状をもつ成形部とを具備する型本体の内側に、前記空洞部に対応する中空状のコアが一連に設けられ、そのコアが前記受枠部内に導入された生コンクリートにその内部から振動を与えるための振動源として起振手段を内蔵して成るコンクリート成形型。
【請求項２】
暗渠や開渠など内側に空洞部をもつ同一断面形状の長尺なコンクリート構造物をその長手方向に沿って連続成形するのに用いる成形型であって、上部に生コンクリートを取り込むための受口を有する受枠部と、この受枠部の後方に連続して延びる所定の断面形状をもつ成形部と、前記受枠部の前方に連なる前枠部とを具備する型本体の内側に、前記空洞部に対応する中空状のコアが一連に設けられ、そのコアがそれぞれ前枠部と受枠部と成形部とに属する分割体から成り、その各分割体は弾性を有するシール材を介して直列状に連ねられ、前記受枠部に属する分割体には回転自在な偏心質量体が内蔵され、その偏心質量体を回転させるための駆動源が前記前枠部又は成形部に属する分割体に内蔵されて成るコンクリート成形型。
【請求項３】
暗渠や開渠など内側に空洞部をもつ同一断面形状の長尺なコンクリート構造物をその長手方向に沿って連続成形するのに用いる成形型であって、上部に生コンクリートを取り込むための受口を有する受枠部と、この受枠部の後方に連続して延びる所定の断面形状をもつ成形部と、前記受枠部の前方に連なる前枠部とを具備する型本体の内側に、前記空洞部に対応する中空状のコアが一連に設けられ、そのコアがそれぞれ前枠部と受枠部と成形部とに属する分割体から成り、その各分割体は相対向する端部にシール材を有して長手方向に連ねられ、それら各分割体の内部には前記前枠部と成形部とに属する分割体にて両端を支持される回転軸が通され、その回転軸上に前記受枠部に属する分割体が偏心状態で固定されると共に、該回転軸を回転させるための駆動源が前記前枠部又は成形部に属する分割体に内蔵されて成るコンクリート成形型。
【請求項４】
暗渠や開渠など内側に空洞部をもつ同一断面形状の長尺なコンクリート構造物をその長手方向に沿って連続成形するのに用いる成形型であって、上部に生コンクリートを取り込むための受口を有する受枠部と、この受枠部の後方に連続して延びる所定の断面形状をもつ成形部と、前記受枠部の前方に連なる前枠部とを具備する型本体の内側に、前記空洞部に対応する中空状のコアが一連に設けられ、そのコアがそれぞれ前枠部と受枠部と成形部とに属する分割体から成り、その各分割体は相対向する端部にシール材を有して直列状に連ねられ、それら各分割体の内部には前記前枠部と成形部とに属する分割体にて両端を支持される回転軸が通され、前記受枠部に属する分割体は非円形状の外周面を有して前記回転軸上に固定されると共に、前記前枠部又は成形部に属する分割体には前記回転軸を回転させるための駆動源が内蔵されて成るコンクリート成形型。
【請求項５】
暗渠や開渠など内側に空洞部をもつ同一断面形状の長尺なコンクリート構造物をその長手方向に沿って連続成形するのに用いる成形型であって、上部に生コンクリートを取り込むための受口を有する受枠部と、この受枠部の後方に連続して延びる所定の断面形状をもつ成形部と、前記受枠部の前方に連なる前枠部とを具備する型本体の内側に、前記空洞部に対応するコアが一連に設けられ、そのコアは前記成形部に属する部分をベースとしてその前方が弾性を有するシール材を介して直列状に連なる中空状の先行部とされ、その先行部は前記受枠部内に導入された生コンクリートにその内部から振動を与えるための振動源として起振手段を内蔵すると共に、該先行部の一端が前枠部の上部に肩持ち状態で支持されて成るコンクリート成形型。
【請求項６】
型本体の側壁が高さ調整可能なスライド板とされて成る請求項１〜５の何れか一項に記載のコンクリート成形型。
【発明の詳細な説明】
【０００１】
【発明の属する技術分野】
本発明は、道路などに沿って設けられる暗渠や開渠など同一断面形状の長尺なコンクリート構造物をその長手方向に連続成形するのに用いられる成形型（モールド）に係わり、特に円形水路と呼ばれる断面鍵穴形の空洞部をもつコンクリート構造物を連続成形するのに用いて好適なコンクリート成形型に関する。
【０００２】
【従来の技術】
道路などに沿って延びる暗渠や開渠又は縁石その他のコンクリート構造物は、プレキャストコンクリートを現場にて順に結合するか、若しくはコンクリートの現場打ちにより構築されるが、一般的なコンクリートの現場打ちでは型枠の組立や解体に多くの時間や労力を費やしてしまい効率が悪いという問題があった。そこで、コンクリートの現場打ちにして施工現場での型枠の組立を不要にした本願出願人提案のスリップフォーム工法などと呼ばれる連続成形機械施工法（特許第２８５２７３４号など）の普及が顕著である。
【０００３】
同工法は、概して図１５に示すようアジテータ車などの車両Ｆに成形型Ｍを装置し、車両Ｆを徐行させつつ成形型Ｍ内に低スランプの生コンクリート（以下、生コンと略称する）を導入し、以て車両Ｆの移動方向に沿って同一断面形状のコンクリート構造物Ｃを連続成形するというものである。ここで、その種の工法に用いられる成形型Ｍの内部形状は施工するコンクリート構造物の形態によって様々であるが、構造的には図１６に示すよう上部に生コンを取り込むための受口ｈ（ホッパ）が形成される部分（受枠部Ｍ１）と、その後方に延長して該受枠部に導入された生コンを所定形状に整形するための部分（成形部Ｍ２）と、受枠部Ｍ１の前方に延長して生コンの流出を防止する部分（前枠部Ｍ３）とを備えることが通例である。特に、口幅の狭い溝形の円形水路など内側に空洞部をもつコンクリート構造物Ｃにして、その成形型Ｍ内には空洞部に対応するコアＮが設けられる。
【０００４】
尚、前枠部Ｍ３は鉄筋を受け入れるための飲口を成す部分でもあり、その開口径は受枠部Ｍ１や成形部Ｍ２と同等か、又は鉄筋に干渉しない程度に小さく設定されるが、無筋のコンクリート構造物にして前枠部Ｍ３を排除したものもある。一方、受枠部Ｍ１内には図１７に示すよう成形型と別体の棒状その他のバイブレータＶが設けられ、そのバイブレータＶにより受枠部Ｍ１内に導入された生コンに振動を与えてこれを締固め得るようになっている。
【０００５】
【発明が解決しようとする課題】
然し乍ら、上記のような成形型によれば、図７のような有鉄筋のコンクリート構造物を成形する場合、バイブレータＶが鉄筋に接触せぬよう受枠部Ｍ１の幅を広く設定し、その両側にバイブレータＶを配置する領域を確保していたため、その幅広部分が障害となり施工場所に制約を受ける事があった。
【０００６】
又、図１８のようにコンクリート構造物Ｃを施工した後で地中に埋め戻す場合があるが、このとき従来の支保工を施す方式では同図に示すようコンクリート構造物Ｃと同等の幅だけ地中を掘削すれば足りるものの、上記のような成形型を用いる場合には、幅広部分が地盤に干渉せぬよう施工に際して図１９に示す如く掘削幅を余計に取らねばならぬという欠点があった。
【０００７】
更に、上記のような成形型を用いてトンネル内にコンクリート構造物を連続成形する場合、バイブレータの配置に起因する幅広部分がトンネルの内壁に干渉したり、施工面の高さが左右で相違するために施工不能に陥る事があった。
【０００８】
本発明は以上のような事情に鑑みて成されたものであり、その目的は連続成形機械施工によるコンクリート構造物の施工不能区を減らし、主に円形水路など内側に空洞部をもつコンクリート構造物を円滑かつ良好に連続成形できるようにすることにある。
【０００９】
【課題を解決するための手段】
本発明は上記目的を達成するため、以下に記載するようなコンクリート成形型を提供するものである。
【００１０】
（１）暗渠や開渠など内側に空洞部をもつ同一断面形状の長尺なコンクリート構造物をその長手方向に沿って連続成形するのに用いる成形型であって、上部に生コンクリートを取り込むための受口を有する受枠部と、この受枠部の後方に連続して延びる所定の断面形状をもつ成形部とを具備する型本体の内側に、前記空洞部に対応する中空状のコアが一連に設けられ、そのコアが前記受枠部内に導入された生コンクリートにその内部から振動を与えるための振動源として起振手段を内蔵して成るコンクリート成形型。
【００１１】
（２）暗渠や開渠など内側に空洞部をもつ同一断面形状の長尺なコンクリート構造物をその長手方向に沿って連続成形するのに用いる成形型であって、上部に生コンクリートを取り込むための受口を有する受枠部と、この受枠部の後方に連続して延びる所定の断面形状をもつ成形部と、前記受枠部の前方に連なる前枠部とを具備する型本体の内側に、前記空洞部に対応する中空状のコアが一連に設けられ、そのコアがそれぞれ前枠部と受枠部と成形部とに属する分割体から成り、その各分割体は弾性を有するシール材を介して直列状に連ねられ、前記受枠部に属する分割体には回転自在な偏心質量体が内蔵され、その偏心質量体を回転させるための駆動源が前記前枠部又は成形部に属する分割体に内蔵されて成るコンクリート成形型。
【００１２】
（３）暗渠や開渠など内側に空洞部をもつ同一断面形状の長尺なコンクリート構造物をその長手方向に沿って連続成形するのに用いる成形型であって、上部に生コンクリートを取り込むための受口を有する受枠部と、この受枠部の後方に連続して延びる所定の断面形状をもつ成形部と、前記受枠部の前方に連なる前枠部とを具備する型本体の内側に、前記空洞部に対応する中空状のコアが一連に設けられ、そのコアがそれぞれ前枠部と受枠部と成形部とに属する分割体から成り、その各分割体は相対向する端部にシール材を有して長手方向に連ねられ、それら各分割体の内部には前記前枠部と成形部とに属する分割体にて両端を支持される回転軸が通され、その回転軸上に前記受枠部に属する分割体が偏心状態で固定されると共に、該回転軸を回転させるための駆動源が前記前枠部又は成形部に属する分割体に内蔵されて成るコンクリート成形型。
【００１３】
（４）暗渠や開渠など内側に空洞部をもつ同一断面形状の長尺なコンクリート構造物をその長手方向に沿って連続成形するのに用いる成形型であって、上部に生コンクリートを取り込むための受口を有する受枠部と、この受枠部の後方に連続して延びる所定の断面形状をもつ成形部と、前記受枠部の前方に連なる前枠部とを具備する型本体の内側に、前記空洞部に対応する中空状のコアが一連に設けられ、そのコアがそれぞれ前枠部と受枠部と成形部とに属する分割体から成り、その各分割体は相対向する端部にシール材を有して直列状に連ねられ、それら各分割体の内部には前記前枠部と成形部とに属する分割体にて両端を支持される回転軸が通され、前記受枠部に属する分割体は非円形状の外周面を有して前記回転軸上に固定されると共に、前記前枠部又は成形部に属する分割体には前記回転軸を回転させるための駆動源が内蔵されて成るコンクリート成形型。
【００１４】
（５）暗渠や開渠など内側に空洞部をもつ同一断面形状の長尺なコンクリート構造物をその長手方向に沿って連続成形するのに用いる成形型であって、上部に生コンクリートを取り込むための受口を有する受枠部と、この受枠部の後方に連続して延びる所定の断面形状をもつ成形部と、前記受枠部の前方に連なる前枠部とを具備する型本体の内側に、前記空洞部に対応するコアが一連に設けられ、そのコアは前記成形部に属する部分をベースとしてその前方が弾性を有するシール材を介して直列状に連なる中空状の先行部とされ、その先行部は前記受枠部内に導入された生コンクリートにその内部から振動を与えるための振動源として起振手段を内蔵すると共に、該先行部の一端が前枠部の上部に肩持ち状態で支持されて成るコンクリート成形型。
【００１５】
（６）型本体の側壁が高さ調整可能なスライド板とされて成る上記（１）〜（５）の何れかに記載のコンクリート成形型。
【００１６】
【発明の実施の形態】
以下、本発明の適用例を図面に基づいて詳細に説明する。先ず、図１は本発明に係る連続成形機械施工（スリップフォーム）用コンクリート成形型を部分的に破断して示した側面概略図である。図１において、１は型本体であり、これは相対する側壁１Ａと上面を成す天板１Ｂとで構成され、一端から順に所定の長さを有する前枠部２、受枠部３、並びに成形部４とされる。このうち、中間の受枠部３は生コンを導入する部分であり、その上部には生コンを取り込むための筒状の受口５（ホッパ）が設けられる。一方、前枠部２は生コンの流出を防止するための区域であり、これは受枠部３より前方へ６０〜８０cm程度延長されている。又、成形部４はコンクリート構造物の形状を決定するための区域であり、これは全体の半分以上の長さを占めて受枠部３より後方へ延長される。
【００１７】
ここで、型本体１の内側にはその長手方向に沿って、コンクリート構造物の空洞部に対応するコア６（中子）が一連に設けられる。本例において、コア６は三つに分割され、その各分割体６Ａ，６Ｂ，６Ｃがシール材７を介して直列状に連ねられている。又、各分割体６Ａ〜６Ｃはそれぞれ前枠部２、受枠部３、及び成形部４に属し、それら各部２，３，４と略同等の長さに設定される。このうち、両側の分割体６Ａ，６Ｃは型本体の天板１Ｂに水平状にして固定される。特に、成形部４に属する分割体６Ｃは、コンクリート構造物の空洞部を形成するためのベースを成し、前枠部２及び受枠部３に属する分割体６Ａ，６Ｂは受枠部３に導入された生コンにその内部から振動を与えるための振動源として後述のような起振手段（発振系）を内蔵する。
【００１８】
次に、図２は図１におけるＸ１−Ｘ１線断面図であり、図３には同Ｘ２−Ｘ２線断面を示す。これらの図で明らかなように、前枠部２の断面形状は受枠部３や成形部４よりも一回り程度小さく設定され、後述の如く有鉄筋のコンクリート構造物の施工に際して鉄筋の周囲に該前枠部２の内面が近接するようになっている。但し、この前枠部２の断面形状を受枠部３や成形部４と同形同大としても良い。又、本例において、コア６は図示するような中空状の円筒とされ、その上部（分割体６Ａ，６Ｃ）が天板１Ｂの内側中央に設けた突条８の先端に溶接又はボルト止めされている。尚、コア６は円筒形に限らず、施工するコンクリート構造物によって楕円や多角形状の断面をもつ中空軸とすることもある。又、コア６に突条８を一体に形成し、これを平面上の天板１Ｂに固定するようにしても良い。
【００１９】
ここで、図４にコアの内部構造を示す。図４において、起振手段は受枠部３に属する分割体６Ｂ内に設けられる偏心質量体９と、その偏心質量体９を回転させるための駆動源を成すモータ１０とで構成される。偏心質量体９は所定重量を有する重錘９Ａと、その両側に突出するクランク軸９Ｂとで成り、そのクランク軸９Ｂは分割体６Ｂの中心に固定した軸受１１にて回転自在に支持されている。一方、モータ１０は分割体６Ａの内部に固定され、その出力軸が鋼索などで成る撓み軸１２（フレキシブルシャフト）を介して偏心質量体のクランク軸９Ｂと連結されている。尚、モータ１０は電気又はオイルやエアなどの作動流体を動力源とするものであり、その供給系統１３は天板１Ｂを貫通して外部に引き出される。又、本例において、各分割体６Ａ〜６Ｃの相互間に介在されるシール材７はゴムに代表される環状の弾性体であり、これは偏心質量体９の回転により分割体６Ｂが振動するよう支持するほか、その振動が両側の分割体６Ａ，６Ｃに伝播するのを緩和する働きをする。尚、その取付方法としては図５に示すような差し込み型、又は図６に示すようなボルト固定型などが考えられる。
【００２０】
そして、以上のように構成されるコア６によれば、偏心質量体９の回転により分割体６Ｂが回転軸回りに振れ、その振動が受口５を通じて受枠部３内に導入された低スランプの生コン（一般にスランプ値は２〜４cmとされる）に与えられることになる。このため、生コンは受枠部３内で締固められ、その状態で成形部４内に導入されつつ所定形状に連続成形される。尚、分割体６Ｂの振動によりモータ１０に作用する偏心荷重は撓み軸１２の撓みにより吸収されるが、その撓み軸１２に代えて剛性軸を用いても良い。又、モータ１０を分割体６Ｂに内蔵し、その出力軸とクランク軸９Ｂとを直結、若しくは撓み軸１２や剛性軸を介して連結しても良い。
【００２１】
図７は、以上のような成形型によって得られるコンクリート構造物Ｃ（円形水路）の断面であり、ｆはコンクリート中に埋設された鉄筋を示す。尚、この鉄筋ｆは成形型を通過させる部分、すなわちコンクリート構造物Ｃの施工区に沿って予め組み上げられ、これが前枠部の内面に近接しつつその内部に導入されるのである。又、同図において、Ｓはコア６により形成される空洞部であり、その上部は突条８にて形成される幅狭のスリットｅとして外部に開通される。
【００２２】
以上、本発明の好適な態様を説明したが、コアを以下のような構造とすることもできる。尚、以下の説明において、上記例と共通する箇所は同一符号を付すなどして詳細な説明を省略する。
【００２３】
図８は中間の分割体６Ｂを回転体とした例であり、本例では分割体６Ｂがその内部を通る回転軸１４に対して偏心状態で固定される。回転軸１４の両端は分割体６Ｂの両側に突出し、分割体６Ａ，６Ｃの中心に固定した軸受１５にて回転自在に支持されており、その一端は分割体６Ａ内に設けた駆動源としてのモータ１０の出力軸に連結されている。又、本例において、各分割体６Ａ〜６Ｃの相対向する端部には金属パッキンなど互いに擦り合う環状のシール材１７が取り付けられ、そのシール材１７を密着させた状態で各分割体６Ａ〜６Ｃが型本体１の長手方向に連ねられる。尚、図８において、１８は回転軸１４に対して分割体６Ｂを偏心状態に取り付けるための固定具であり、分割体６Ｂの内面にはその回転エネルギを増大させるべく一部に重錘１９が固定される。そして、図８のようなコア６によれば、分割体６Ｂの回転により、受枠部３内に導入された生コンに振動を与えてこれを締固める事ができる。
【００２４】
次に、図９も分割体６Ｂを回転体とした例であるが、本例では各分割体６Ａ〜６Ｃが相対向する端部に互いに擦り合うシール材１７を有して直列状に連ねられる。つまり、分割体６Ｂはその中心を通る回転軸１４に固定具１８を介して取り付けられ、その回転軸１４の両端は分割体６Ａ，６Ｃの中心に固定した軸受１５にて回転自在に支持される。又、回転軸１４の一端は上記例のように分割体６Ａ内に設けたモータ１０に連結され、分割体６Ｂの内面にはその回転エネルギを増大させるべく重錘１９が固定される。特に、本例において、分割体６Ｂはその外周が多角形状とされ、好ましくは他の分割体６Ａ，６Ｃの断面と同等の大きさをもつ正多角形（例えば正五角形や正六角形）とされる。そして、図９のようなコア６によれば、分割体６Ｂの回転によりその外周稜角が受枠部３内に導入された生コンに振動を与えてこれを締固める事ができる。
【００２５】
次に、図１０はコア６を二分割とした例である。本例において、その分割体６Ｄ，６Ｅは受枠部３と成形部４とを境にして分けられ、成形部４に属する一方の分割体６Ｅはコンクリート構造物の空洞部を形成するベースとして天板１Ｂに形成される上記例同様の突条に固定される。又、他方の分割体６Ｄは先行部として分割体６Ｅの前方にゴムなどの弾性体で成るシール材２７を介して直列状に連ねられる。本例において、シール材２７はベースを成す一方の分割体６Ｅに固定され、その一端が分割体６Ｄの先端面に密着される。一方、分割体６Ｄはその先端面が球面状を成してシール材２７に密着されると共に、他の一端外周にブラケット２８を有して該一端が前枠部２の上部に肩持ち状態で支持される。特に、この分割体６Ｄは受枠部３内に導入された生コンにその内部から振動を与えるための振動源として起振手段を内蔵する。その起振手段は、上記例の如く偏心質量体９とこれを回転させるためのモータ１０で成り、そのモータ１０は前枠部２側に固定され、受枠部３側に内蔵される偏心質量体のクランク軸９Ｂに撓み軸１２（又は剛性軸）を介して連結される。
【００２６】
尚、偏心質量体９は受枠部３側の中心に固定した軸受１１にてクランク軸９Ｂの両端を回転自在にして支持され、その偏心質量体９とモータ１０との相互間には環状の防振ゴム２９が固定される。そして、図１０のようなコア６によれば、偏心質量体９の回転により分割体６Ｄの自由端を成す受枠部３側が振動し、その振動が受枠部３内に導入された生コンに与えられることになる。このため、生コンは受枠部３内で締固められ、その状態で成形部４内に導入されつつ所定形状に連続成形される。
【００２７】
次に、図１１は成形型の側壁を可動式にした例を示す。つまり、本例の成形型はその側壁１Ａ，１Ａが高さ調整可能なスライド板として構成される。但し、本例において、側壁１Ａを一枚板として昇降できるよう前枠部を設ける場合でもこれを受枠部や成形部と同一の幅に設定する。ここで、３０は側壁１Ａを上下に昇降させるための直動アクチュエータであり、このアクチュエータ３０は例えば油圧シリンダから成る。特に、本例の成形型には天板１Ｂの両側に立ち上がるガイド板３１が形成され、そのガイド板３１に沿って側壁１Ａ，１Ａが摺動可能に設けられる。図示するように、アクチュエータ３０はそのシリンダ部３０Ａがガイド板３１の上部に固定されると共に、伸縮ロッド部３０Ｂが側壁１Ａの下部に結合される。又、図１２で明らかにするように、アクチュエータ３０は成形型の長手方向に所定の間隔で並列状に設けられる。そして、以上のように構成される成形型によれば、例えば図１３のように一方の側壁１Ａを上昇させて該側壁がトンネルの内壁に干渉するのを防止しながらコンクリート構造物Ｃを連続成形できるほか、図１４のように両方の側壁１Ａ，１Ａを上昇させ、地盤に掘削した溝内にコア６のみを導入したままコンクリートを打設して所定のコンクリート構造物Ｃを連続成形する事ができる。
【００２８】
以上、本発明の適用例を説明したが、何れの成形型においても天板１Ｂの上面に棒状のバイブレータを設けて生コンに成形型の内外双方から振動を与えるようにする事がより効果的である。
【００２９】
【発明の効果】
以上の説明で明らかなように、本発明によれば、円形水路その他の開渠や暗渠など内側に空洞部をもつコンクリート構造物の連続成形用にして、その空洞部に対応するコアを内蔵し、そのコアが受枠部内に導入された生コンにその内部から振動を与えるための振動源として構成されることから、成形型を必要最小限の幅にして生コンを締固めることができる。このため、至近距離に障害物があっても成形型の側壁を干渉させずにコンクリート構造物の連続成形施工が可能となり、コンクリート構造物を地中に構築する場合も地盤の掘削幅をコンクリート構造物の断面と略同一にすることができる。
【００３０】
又、側壁を高さ調整可能なスライド板としていることから、トンネル内など左右両側の高さが異なる施工区においてもこれに沿ってコンクリート構造物を連続成形することができる。
【図面の簡単な説明】
【図１】本発明に係るコンクリート成形型を部分的に破断して示した側面概略図
【図２】図１におけるＸ１−Ｘ２線断面図
【図３】図１におけるＸ２−Ｘ２線断面図
【図４】コアの内部構造を示した側面概略図
【図５】分割体の接続形態を示した部分断面図
【図６】分割体の他の接続形態を示した部分断面図
【図７】コンクリート構造物（円形水路）の断面図
【図８】コアの変更例を示した横断面概略図
【図９】コアの変更例を示した横断面概略図
【図１０】コアの変更例を示した横断面概略図
【図１１】本発明に係る成形型の他の実施形態を示した縦断面概略図
【図１２】図１１における成形型の一部を示した側面概略図
【図１３】図１１における成形型の使用形態を示した概略図
【図１４】図１１における成形型の他の使用形態を示した概略図
【図１５】従来例を示したコンクリート成形型の使用状態図
【図１６】従来のコンクリート成形型を示した斜視概略図
【図１７】図１６における成形型の縦断面概略図
【図１８】成形型によるコンクリート構造物の施工例を示した概略図
【図１９】成形型によるコンクリート構造物の施工例を示した概略図
【符号の説明】
１  型本体
１Ａ  側壁
１Ｂ  天板
２  前枠部
３  受枠部
４  成形部
５  受口
６，１６  コア
６Ａ〜６Ｅ  分割体
７，１７，２７  シール材
８  突条
９  偏心質量体
１０  モータ
【図１】
0003663357.tif 000002
【図２】
0003663357.tif 000003
【図３】
0003663357.tif 000004
【図４】
0003663357.tif 000005
【図５】
0003663357.tif 000006
【図６】
0003663357.tif 000007
【図７】
0003663357.tif 000008
【図８】
0003663357.tif 000009
【図９】
0003663357.tif 000010
【図１０】
0003663357.tif 000011
【図１１】
0003663357.tif 000012
【図１２】
0003663357.tif 000013
【図１３】
0003663357.tif 000014
【図１４】
0003663357.tif 000015
【図１５】
0003663357.tif 000016
【図１６】
0003663357.tif 000017
【図１７】
0003663357.tif 000018
【図１８】
0003663357.tif 000019
【図１９】
0003663357.tif 000020